(57)【特許請求の範囲】
【請求項１】
弧状内周壁(a)と弧状外周壁(d)の間に位置する弧状側壁部に、シャッター用開閉板(21)の側辺部を摺動自在に保持するガイド溝が周方向全域に延びるように形成されているシャッター用ガイドレールに於いて、
周方向の両端平面を各別に含む一対の接平面の交差線が、前記弧状外周壁(d)の曲率中心Ｑよりも該弧状外周壁(d)側に位置しており、
前記一対の接平面に各別に平行な弧状外周壁(d)の一対の半径線が前記曲率中心Ｑにて成す中心角Ｙと、前記一対の接平面の成す中心角Ｘが同じ大きさである、シャッター用ガイドレール。
【請求項２】
請求項１に記載のシャッター用ガイドレールに於いて、
前記ガイド溝は、その溝底から溝入口に向けて次第に溝幅が拡大している、シャッター用ガイドレール。
【請求項３】
請求項１又は請求項２に記載のシャッター用ガイドレールに於いて、
前記ガイド溝の一対の溝側壁のうち、前記弧状外周壁(d)側に位置する外周溝側壁(c)の曲率中心は、前記弧状内周壁(a)側に位置する内周溝側壁(b)の曲率中心よりも、前記弧状内周壁(a)側に位置している、シャッター用ガイドレール。
【請求項４】
請求項１から請求項３の何れかに記載のシャッター用ガイドレールに於いて、
前記ガイド溝の溝側壁は、前記両端平面に対して垂直になるように湾曲している、シャッター用ガイドレール。
【請求項５】
請求項１から請求項４の何れかに記載のシャッター用ガイドレールに於いて、
前記ガイド溝の溝側壁の両端部は、前記交差線上に曲率中心を有する円弧状に形成されており、前記両端部相互間は、前記両端部に夫々滑らかに繋がる曲線状に形成されている、シャッター用ガイドレール。
【発明の詳細な説明】
【０００１】
【発明の属する技術分野】
本発明は、工作機を据え付けた工作室の開口部や建物の出入り口を開閉するシャッター用開閉板の走行軌跡を設定するシャッター用ガイドレールに関するものである。
【０００２】
【従来の技術】
図１２は、上記工作室を覆うカバーの正面図であり、図１３は、その縦断面図である。
下部相互が横桟(12)で連結された左右一対のサイドフレーム(11)(11)で挟まれた開口部は、上記サイドフレーム(11)(11)に添設されたガイドレール(A)(A)に摺動自在に保持されたシャッター用開閉板(21)で開閉されるようになっている。
上記ガイドレール(A)は、図１２，１３に示すように、直線状レール(41)(41)を円弧状の曲線状レール(31)で直角姿勢に連結したものである。
【０００３】
図１４，図１５に示すように、上記曲線状レール(31)の弧状内周壁(36)と弧状外周壁(37)の間に位置する弧状側壁部(310)にはシャッター用開閉板(21)の側辺部を挿入する為のガイド溝(33)が形成されている。前記弧状内周壁(36)及び 弧状外周壁(37)と、前記ガイド溝(33)を構成する一対の溝側壁(34)(35)は、全て、同じ曲率中心Ｑを有する同心円弧となっている。
【０００４】
又、曲線状レール(31)の周方向の両端平面(38)(39)を含む一対の接平面(380)(390)相互の交差線は、前記曲率中心Ｑを通り且つ図１４の紙面に垂直な方向に延びている。
又、上記曲線状レール(31)の両端に接続される直線状レール(41)(41)の端面も、上記曲線状レール(31)の端面と同じ断面形状を有している。
【０００５】
サイドフレーム(11)(11)相互間の開口部を覆うシャッター用開閉板(21)は、平行に並んだスラット板(25)(25)とこれらを屈曲自在に連結するヒンジ(26)(26)とから構成されていると共に、該シャッター用開閉板(21)の左右両側辺は、上記直線状レール(41)(41)や曲線状レール(31)に形成されたガイド溝(33)に摺動自在に保持されている。
【０００６】
このものでは、図１２，１３に示される手掛け部(23)を握ってシャッター用開閉板(21)をガイドレール(A)(A)に沿って上下方向に移動させることで、前記開口部が開閉される。
【０００７】
【発明が解決しようとする課題】
しかしながら、上記従来のものでは、ガイドレール(A)を構成する前記曲線状レール(31)が大型化してこれをコンパクト化できないという問題があった。
上記問題は次の理由によって生じる。即ち、図１４の想像線で示すように、曲線状レール(31)のガイド溝(33)を構成する一対の溝側壁(34)(35)のうち、内周側に位置する内周溝側壁(34)の曲率半径は、前記シャッター用開閉板(21)のスラット板(25)が前記内周溝側壁(34)に接触しない範囲で最小寸法に設定されている（曲線状レール(31)を可能な限り小型化するためである。）。つまり、上記内周溝側壁(34)の曲率半径は、シャッター用開閉板(21)に用いられるスラット板(25)の幅寸法によって決定されてしまう。また、上記従来のものでは、前記曲線状レール(31)は、直線状レール(41)(41)を接続すべき角度（図１４に示される角Ｙの角度）と等しい中心角Ｘを有する扇形の外周形状となるように形成されている。従って、前記スラット板(25)の幅寸法と直線状レール(41)(41)を接続すべき上記角度Ｙとから曲線状レール(31)の形状及び長さ等が必然的に定まってしまう。そのため、該周方向長さの寸法等を短くすることができず、該曲線状レール(31)のコンパクト化が図れないのである。
【０００８】
本発明はかかる点に鑑みて成されたもので、『弧状内周壁(a)と弧状外周壁(d)の間に位置する弧状側壁部に、シャッター用開閉板(21)の側辺部を摺動自在に保持するガイド溝が周方向全域に延びるように形成されているシャッター用ガイドレール』に於いて、該シャッター用ガイドレールのコンパクト化が図れるようにすることをその課題とする。
【０００９】
【課題を解決するための手段】
［１項］
上記課題を解決するための本発明の技術的手段は、
『周方向の両端平面を各別に含む一対の接平面の交差線が、前記弧状外周壁(d)の曲率中心Ｑよりも該弧状外周壁(d)側に位置しており、
前記一対の接平面に各別に平行な弧状外周壁(d)の一対の半径線が前記曲率中心Ｑにて成す中心角Ｙと、前記一対の接平面の成す中心角Ｘが同じ大きさである』ことである。
上記技術的手段によれば、周方向の両端平面を各別に含む一対の接平面に対して直角な方向に延びるように直線状レール(41)(41)や曲線状レールが接続される。
【００１０】
そして、上記技術的手段によれば、周方向の両端平面を各別に含む上記一対の接平面の交差線は、シャッター用ガイドレールの弧状外周壁(d)の曲率中心よりも該弧状外周壁(d)側に位置している。更に、一対の接平面に各別に平行な弧状外周壁(d)の一対の半径線が前記曲率中心Ｑにて成す中心角Ｙと、前記一対の接平面の成す中心角Ｘが同じ大きさに設定されている。
従って、前記一対の接平面の交差線が弧状外周壁(ｄ)の前記曲率中心に一致する従来のもの（本発明のシャッター用ガイドレールに接続すべき直線状レール(41)(41)相互の成す角度と同じ角度で該直線状レール(41)(41)等を接続することが出来る従来のもの）に比べて、該交差線が弧状外周壁(d)側に移動した分だけ、該シャッター用ガイドレールの周方向の長さが短くなる。即ち、上記技術的手段によれば、既述従来の円弧状のシャッター用ガイドレールに比べて周方向長さが短くなる。
【００１１】
[２項]
前記１項に於いて、
『前記ガイド溝は、その溝底から溝入口に向けて次第に溝幅が拡大している』ものでは、ガイド溝の一対の溝側壁の間隔が溝底から離反するに従って拡大するように、該溝側壁が傾斜する。従って、シャッター用開閉板が前記ガイド溝内を走行する場合に、前記シャッター用開閉板の両側辺部は前記溝側壁の溝底近傍にのみ局部的に接触する。そのため、上記溝側壁全域がシャッター用開閉板に接触することがなく、該シャッター用開閉板の両側辺の広い範囲に亘って摺擦傷が形成される不都合がない。
【００１２】
[３項]
前記１項又は２項に於いて、
『前記ガイド溝の一対の溝側壁のうち、前記弧状外周壁(d)側に位置する外周溝側壁(c)の曲率中心は、前記弧状内周壁(a)側に位置する内周溝側壁(b)の曲率中心よりも、前記弧状内周壁(a)側に位置している』ものでは、ガイド溝の溝幅は、周方向の両端部よりも中央部の寸法が大きくなる。従って、ガイド溝に挿入されたシャッター用開閉板の両側辺部は、上記ガイド溝に於ける周方向の中央部に於いては、内周溝側壁(b)から離反して外周溝側壁(c)に近付くように移動可能となる。これにより、ガイド溝でのシャッター用開閉板の円滑な移動が確保できる。
【００１３】
[４項]
前記１項〜３項に於いて、
『前記ガイド溝の溝側壁は、前記両端平面に対して垂直になるように湾曲している』ものでは、本発明のシャッター用ガイドレールに形成されたガイド溝とその両端に接続される直線状レール(41)(41)等のガイド溝とが連続的かつ滑らかに繋がった状態になる。
【００１４】
即ち、本発明のシャッター用ガイドレールの両端平面に対して垂直に直線状ガイドレール(41)等が接続される。従って、該直線状ガイドレール(41)に形成されたガイド溝も上記両端平面に対して垂直な方向に延びている。又、前記ガイド溝内の溝側壁の両端部も、前記両端平面に対して垂直になるように湾曲されている。これにより、本発明のシャッター用ガイドレールに形成されたガイド溝と上記直線状レール(41)のガイド溝は共に前記端面に垂直な状態になる。従って、本発明のシャッター用ガイドレールに形成されたガイド溝とその両端に接続される直線状レール(41)(41)等のガイド溝とが連続的かつ滑らかに繋がった状態になる。
【００１５】
[５項]
前記１項〜４項に於いて、
『前記ガイド溝の溝側壁の両端部は、前記交差線上に曲率中心を有する円弧状に形成されており、
前記両端部相互間は、前記両端部に夫々滑らかに繋がる曲線状に形成されている』ものとすることができる。
【００１６】
このものでは、円弧状両端部を前記交差線を含む平面で切断した場合には、該切断端面の形状が一定になる。これは、前記円弧状両端部は、交差線上に曲率中心を有しているからである。従って、予め大きな中心角を有するシャッター用ガイドレールを形成して多数ストックしておき、これを出発材料として、必要な中心角となるように円弧状両端部を切断することにより、種々の中心角を具備するシャッター用ガイドレールを製造することができる。
【００１７】
【発明の効果】
本発明は次の特有の効果を有する。
従来の円弧状のシャッター用ガイドレールに比べて周方向長さが短くなるから、該シャッター用ガイドレールのコンパクト化が図れる。
【００１８】
２項のものでは、既述したように、シャッター用開閉板の両側辺近傍の表面に広い範囲に亘るの摺擦傷が形成される不都合がない。
【００１９】
３項のものでは、既述したように、ガイド溝に於けるシャッター用開閉板の円滑な移動が確保できる。
【００２０】
４項のものでは、本発明のシャッター用ガイドレールのガイド溝に対して、その両端に接続される直線状レール(41)(41)等のガイド溝を連続的かつ滑らかに接続することができる。
【００２１】
５項のものでは、中心角の大きなシャッター用ガイドレールを多数ストックしておけば、これを出発材料として、種々の中心角を具備するシャッター用ガイドレールを製造することができる。
【００２２】
【発明の実施の形態】
次に、上記した本発明の実施の形態を図面に従って詳述する。
本発明の実施形態に係るシャッター用ガイドレールは、図１，図２に示すように、工作機(19)を設置した工作室(18)の開口部を覆うシャッター用開閉板(21)の移動軌跡を規定するガイドレール(A)の円弧状コーナ部に配設された第１，第２曲線状レール(71)(81)として実施されている。尚、ガイドレール(A)(A)は、既述従来のものと同様にサイドフレーム(11)(11)の内側に添設されていると共に、該サイドフレーム(11)(11)の下端相互は、横桟(12)で連結されている。そして、本実施の形態では、上記横桟(12)の上面には、シャッター用開閉板(12)が上方から当接するスポンジ等の緩衝帯(91)が添設されている。
以下、各部の詳細を説明する。
【００２３】
[シャッター用開閉板(21)について]
図１，３に示すように、シャッター用開閉板(21)は、並列状態に配設される合成樹脂製のスラット板(25)とその長辺部に取り付けられたヒンジ(26)から構成された多数のスラット(29)を備えており、該多数のスラット(29)(29)が上記ヒンジ(26)(26)を介して屈曲自在に連結されている。そして、上記スラット板(25)(25)は透明合成樹脂の帯板で形成されている。
【００２４】
図４に示すように、ヒンジ(26)（本実施の形態では、アルミニウム合金で形成されている。）は、内筒(51)と、これに回動自在に外嵌される外筒(61)とから構成されている。前記外筒(61)の外側壁には、軸線方向に延びる取付フランジ(62)が突出していると共に、該取付フランジ(62)の先端に開放する差込溝(63)にはスラット板(25)が差し込まれている。又、差込溝(63)の内側壁から隆起する係合リブ(64)と、スラット板(25)の表面に形成された係合溝(66)(66)とが係合しており、これにより、スラット板(25)が上記差込溝(63)に抜け止め状態に保持されている。内筒(51)も上記外筒(61)と同じ構成を有しており、該内筒(51)の外側壁に突設された取付フランジ(52)に備えられた差込溝(53)に対してスラット板(25)が抜け止め状態に嵌入されている。このものでは、上記外筒(61)と内筒(51)との相対回動によって、シャッター用開閉板(21)が全体的に屈曲できる。
【００２５】
[ガイドレール(A)について]
ガイドレール(A)は、工作室(18)内の前方上部コーナ部に位置する第１曲線状レール(71)と、該工作室(18)内の後方上部コーナ部に位置する第２曲線状レール(81)と、これらの両端に接続される直線状レール(41)(41)とから構成されている。
【００２６】
＊第１曲線状レール(71)について
図５，図６に示すように、第１曲線状レール(71)は中心角Ｘが８０度に設定された円弧状であると共に、該第１曲線状レール(71)の弧状側壁には、既述シャッター用開閉板(21)の側辺部を摺動自在に保持するためのガイド溝(78)が形成されている。
【００２７】
尚、上記中心角Ｘは、後述の接平面(76)と接平面(77)の交差角である。
又、第１曲線状レール(71)の弧状内周壁(a)及び弧状外周壁(d)と、ガイド溝(78)の内周溝側壁(b)とは同じ曲率中心Ｑを有する同心円弧になっている。そして、第１曲線状レール(71)の周方向両端に位置する両端平面(72)(73)を含む一対の接平面(76)(77)の交差線Ｐ（図５の紙面に対して垂直方向に延びている）は、上記曲率中心Ｑよりも弧状内周壁(a)たる第１曲線状レール(71)側に位置している。
【００２８】
又、図５に示すように、上記接平面(76)(77)の成す中心角Ｘは、前記接平面(76)(77)に平行で且つ曲率中心Ｑを通る半径線(87)(88)の成す角Ｙと同じ大きさに設定されている。従って、第１曲線状レール(71)を使用すると、工作室(18)の天井部に水平に配設される直線状レール(41)の接続端面を含む平面と該工作室(18)の正面部に配設される直線状レール(41)の接続端面を含む平面との成す角Ｚ（直線状レール(41)(41)を接続すべき角：図２参照）は、既述中心角Ｘ及び角度Ｙに等しい８０度となる。又、このものでは、両端平面(72)(73)が図５中想像線で示される角Ｙをなす半径線(87)(88)部分まで延びている従来の第１曲線状レールに比べ、上記接平面(76)(77)と半径線(87)(88)との間隔寸法Ｓに相当する寸法だけ周方向の長さが短くなっている。そのため、この第１曲線レール(71)は従来のものよりコンパクトである。
【００２９】
又、本実施の形態に係るガイド溝(78)の外周溝側壁(C) は、上記曲率中心Ｑよりも  弧状内周壁(a)側の第２曲率中心Ｒを中心とする円弧で構成されている。これにより、ガイド溝(78)の溝幅は、周方向の中央部の寸法Ｌ１が両端部の寸法Ｌ２よりも大きくなっている。従って、ガイド溝(78)に保持されたシャッター用開閉板(21)の両側辺部は、第１曲線状レール(71)の周方向の中央部に於いては、内周溝側壁(b)から離反して外周溝側壁(C) に近付くように移動することが出来る。これにより、スラット板(25)が内周溝側壁(b)に接触するのが確実に防止され、シャッター用開閉板(21)がスムーズに走行される。
【００３０】
又、図５に示すように、スラット板(25)の短辺方向の幅寸法は、該スラット板(25)が既述内周溝側壁(b)に接触しない寸法に設定されている。
又、図６に示すように、上記ガイド溝(78)の溝幅は溝入口(70)に向けて次第に拡大するように構成されており、これにより、内周溝側壁(b)にスラット板(25)が接触する場合でも、該スラット板(25)が内周溝側壁(b)の底壁(79)近傍にのみ局部的に接触する。これにより、内周溝側壁(b)の全域がスラット板(25)に接触することがなく、該スラット板(25)の表面に広い範囲に亘って摺擦傷が形成される不都合が防止できる。
【００３１】
一方、工作室(18)内の後方上部コーナ部に位置する第２曲線状レール(81)は、図７に示すように構成されており、該第２曲線状レール(81)は、その中心角Ｘ（両端平面(72)(73)に対する接平面が成す角）が９０度に設定されている点を除いて既述第１曲線状レール(71)と同様に構成されている。
【００３２】
又、直線状レール(41)は、全体として真っ直ぐな角柱状に形成されていると共に、その断面形状は既述第１曲線状レール(71)や第２曲線状レール(81)に一致している。
【００３３】
尚、上記直線状レール(41)(41)と第１，第２曲線状レール(71)(81)は適宜接続することができるが、図８に示すように、例えば、ガイド溝(78)(410)の長手方向の両端溝底部(75)(411)を除いて該ガイド溝(78)(410)を第１曲線状レール(71)及び直線状レール(41)の側面に貫通するような構造とし、上記両端溝底部(75)(411) をボルト(85)とナット(86)で締め付け固定してもよい。
【００３４】
[動作の実際]
このものでは、図１，図２に現れる手掛け部(23)を握ってシャッター用開閉板(21)を上下方向に移動させると、直線状レール(41)(41)のガイド溝(410)(410)及び第１，第２曲線状レール(71)(81)のガイド溝(78)(78)に保持されたシャッター用開閉板(21)がガイドレール(A)に沿って上下方向に走行する。これにより、該シャッター用開閉板(21)が開閉動作される。
【００３５】
[その他]
▲１▼図１１は他の実施の形態を説明する曲線状レール(82)の側面図である。
ガイド溝(83)の両端部は、円弧状の内周溝側壁(b)と外周溝側壁(c)の周方向の両端部(b1)(b2)(c1)(c2)が、両端平面(84)(89)に対して垂直になるように湾曲している。
【００３６】
具体的には、ガイド溝(83)の内・外周溝側壁(b)(c)は、両端平面(84)(89)を含む一対の接平面(184)(189)の交差線Ｐ（図１１の紙面に対して垂直方向に延びている）の方向から見た形状が該交差線Ｐ上に曲率中心を有する半径Ｒ1，Ｒ2の円弧状に形成された両端部(b1)(b2)(c1)(c2)を備えている。又、上記内・外周溝側壁(b)(c)は、前記円弧状の両端部(b1)(b2)(c1)(c2)相互を繋ぐ滑らかな曲線状の中間部(107)(106)を具備している。そして、中間部(107)(106)は、内・外周溝側壁(b)(c)の曲率中心Ｑを中心とする円弧と、該円弧と上記円弧状の両端部(b1)(b2)(c1)(c2)を滑らかに繋ぐ弧状部(105)(101)(104)(100)から構成されている。
【００３７】
このものでは、曲線状レール(82)に接続される直線状ガイドレール(41)に形成されたガイド溝(83)は両端平面(84)(89)に対して垂直な方向に延びている。一方、内・外周溝側壁(b)(c)に於ける溝長さ方向の両端部(b1)(b2)(c1)(c2)も、両端平面(84)(89)に対して垂直になるよに湾曲している。従って、曲線状レール(82)に形成されたガイド溝(83)とその両端に接続される直線状レール(41)(41)のガイド溝(410)(410)とが連続的かつ滑らかに繋がった状態になる。
【００３８】
又、両端部(b1)(b2)(c1)(c2)の円弧状部を、交差線Ｐを含む平面で切断した場合には、該切断端面の形状が一定になる。両端部(b1)(b2)(c1)(c2)は、交差線上Ｐに中心を有する円弧状に形成されているからである。従って、中心角Ｘの大きな曲線状レール(82)を多数製作してストックしておけば、上記交差線Ｐを含む平面で両端部(b1)(b2)(c1)(c2)の円弧状部を切断することにより、種々の中心角を具備する曲線状レール(82)を作ることができる。
【００３９】
▲２▼上記実施の形態では、既述中心角Ｘが９０度以下に設定された曲線状レールに本発明を実施したが、図９に示すように、中心角Ｘが９０度を越える鈍角に設定された曲線状レール(30)に本発明を実施してもよい。
【００４０】
▲３▼図１０に示すように、シャッター用開閉板(21)を開閉操作するための手掛け部(23)をＵ字状に屈曲するハンドル状のものとする場合は、手掛け部(23)の両端から突出するネジ軸部(231)(231)をスラット板(25)に貫通させると共に、該スラット板(25)の表裏に当て板(97)(97)を添設し、上記ネジ軸部(231)(231)とこれに螺合したナット(94)(94)によって、スラット板(25)を挟持する。
【００４１】
▲４▼上記実施の形態では、工作室(18)の開口部を覆うシャッター用開閉板(21)のガイドレール(A)の曲線状レールに本発明を適用した場合を例示したが、展示会で商品を展示する為の展示用ケースの商品出し入れ口を開閉するシャッター用のガイドレール等、種々のガイドレールの曲線状レールに本発明を適用することができる。
【００４２】
▲５▼上記各実施の形態では、内周溝側壁(b)と外周溝側壁(C)を曲率中心Ｑに中心がある円弧状に形成したが、これら内・外周溝側壁(b)(c)を楕円等の種々の曲線に形成してもよい。
【図面の簡単な説明】
【図１】本発明の実施の形態に係るシャッター用ガイドレールで開閉されるシャッター用開閉板(21)を備えた工作室のカバーの正面図
【図２】図１の縦断面図
【図３】図１のシャッター用開閉板(21)と第１曲線状レール(71)及び直線状レール(41)の関係を示す斜視図
【図４】図１のシャッター用開閉板(21)を構成するスラット板(25)(25)の連結部の拡大図
【図５】本発明の実施の形態に係る第１曲線状レール(71)の側面図
【図６】本発明の実施の形態に係る第１曲線状レール(71)の端面図
【図７】本発明の実施の形態に係る第２曲線状レール(81)の側面図
【図８】第１曲線状レール(71)と直線状レール(41)の端部接続部の説明図
【図９】曲線状レールの変形例の側面図
【図１０】手掛け部(23)の変形例の説明図
【図１１】曲線状レールの他の実施形態の側面図
【図１２】従来例を説明する工作機用カバーの正面図
【図１３】図１０の中央縦断面図
【図１４】従来の曲線状レール(31)の側面図
【図１５】従来の曲線状レール(31)の断面図
【符号の説明】
(21)・・・シャッター用開閉板
(71)・・・第１曲線状レール
(72)・・・端部平面
(73)・・・端部平面
(76)(77)・・・接平面
(78)・・・ガイド溝
(81)・・・第２曲線状レール
(A)・・・ガイドレール
(a)・・・弧状内周壁
(d)・・・弧状外周壁
【図１】
0003888911.tif 000002
【図２】
0003888911.tif 000003
【図３】
0003888911.tif 000004
【図４】
0003888911.tif 000005
【図５】
0003888911.tif 000006
【図６】
0003888911.tif 000007
【図７】
0003888911.tif 000008
【図８】
0003888911.tif 000009
【図９】
0003888911.tif 000010
【図１０】
0003888911.tif 000011
【図１１】
0003888911.tif 000012
【図１２】
0003888911.tif 000013
【図１３】
0003888911.tif 000014
【図１４】
0003888911.tif 000015
【図１５】
0003888911.tif 000016